【事件の表示】
　特許第２７８５２０３号「編集装置」の特許に対する特許異議の申立てについて、次のとおり決定する。
【結論】
　訂正を認める。
　特許第２７８５２０３号の特許を維持する。
【理由】
Ｉ　手続の経緯
　本件における手続の経緯は次のとおりである。
特許出願　　　　　平成１年４月２７日
特許権設定登録　　平成１０年５月２９日
特許異議の申立　　平成１１年２月１５日
取消理由通知　　　平成１１年６月２１日
訂正請求　　　　　平成１１年６月２１日
ＩＩ訂正請求の適否についての判断
１．訂正請求の内容
　上記訂正請求は、訂正請求書の「訂正の要旨」に記載されるとおりの訂正事項ａ〜ｆに係る訂正を求めるものである。
２．訂正の目的の適否、明細書記載事項からの逸脱及び拡張・変更の存否
　上記訂正事項ａは、請求項１に係る編集装置が「上記選択手段によって選択された上記所望の複数の静止画に対応する画像信号を送出する送出手段」を有するものであるとの限定事項を付加し、かつ、請求項１中の「上記所望の複数の静止画を上記表示手段の上記第２表示領域に送出順に並べて表示させる制御手段」を「上記所望の複数の静止画を上記表示手段の上記第２の表示領域に並べて表示させ、その表示順に従って上記画像信号を送出させる制御手段」と訂正して、上記制御手段の構成を限定、かつ明瞭化するものであるから、特許請求の範囲の減縮、及び明瞭でない記載の釈明を目的とする訂正に該当する。
　また、上記訂正事項ｂ〜ｆは、いずれも請求項１の上記訂正に伴い、発明の詳細な説明中の表現をこれと整合させて明瞭化するものであるから、不明瞭な記載の釈明を目的とする訂正に該当する。
　更に、上記の訂正事項ａ〜ｆは、いずれも明細書又は図面の記載範囲内のもので、実質的に特許請求の範囲を拡張、変更するものでもないことが認められる。
３．独立特許要件の判断
（１）訂正後の特許請求の範囲の請求項１に係る発明は、訂正明細書の同請求項１に記載される次のとおりのものである。
「第１の表示領域と第２の表示領域を有し、入力ビデオ信号から選択され記憶手段によって記憶された複数の静止画を上記第１の表示領域に表示する表示手段と、
　上記表示手段の上記第１の表示領域に表示されている上記複数の静止画から所望の複数の静止画を選択するための選択手段と、
　上記選択手段によって選択された上記所望の複数の静止画に対応する画像信号を送出する送出手段と、
　上記選択手段によって選択された上記所望の複数の静止画を上記表示手段の上記第２の表示領域に並べて表示させ、その表示順に従って上記画像信号を送出させる制御手段とを備えた
　ことを特徴とする編集装置。」
（２）上記訂正後の請求項１に係る発明（以下本件発明という）は、訂正明細書の発明の詳細な説明に記載されるとおり、例えば放送局におけるテロップ等の送出を静止画ファイル装置により行うような場合に、従来では、静止画の編集や保存、送出等の多くの手順が必要で作業に熟練を要する等の問題点があったので、その解決のために上記請求項１記載の構成を採用したものであって、その要点は、表示手段の第１の表示領域に表示されている複数の静止画から、所望の複数の静止画を選択して上記表示手段の第２の表示領域に並べて表示させ、その表示順に従って上記所望の複数の静止画に対応する画像信号を送出手段により送出させるようにしたものといえる。
（３）然るに、本件異議申立の甲第１号証（特開昭５６−２４８８６号公報）には、ＶＴＲ編集装置に関し、再生用ＶＴＲからの信号を縮小しながら第１のメモリに連続的に格納し、第１のメモリから読み出された複数フレームの画像をモニタに表示し、編集点のフレームがモニタ上に現れたとき、第１のメモリの書き込み動作を停止するとともに、その編集点のフレームを第２のメモリに格納する動作を続け、第２のメモリに所定数のフレームが格納されたとき、この第２のメモリに格納されたフレームの順序を決めるとともに、その順序に従って第２のメモリを読み出してモニタに表示し、更にこの順序に従って磁気テープの位置を示すコード番号を編集メモリに格納し（第２頁左上欄８〜１９行）、その後、編集開始釦が押されると、上記編集メモリに格納されたコード番号データに基づいて再生用ＶＴＲと収録用ＶＴＲを制御し、所定の順序で各シーンが収録用ＶＴＲに収録されてゆくようにした（第３頁右上欄７〜１３行）発明が記載されており、この発明では、上記第１のメモリの書き込み動作を停止したときには、モニタに複数の静止画が表示され、これら表示静止画中からの静止画の選択がなされ、選択された静止画が上記モニタに並べて表示されるといえるから、この点で本件発明との間に類似性のあることが認められる。
　しかしながら、甲第１号証記載の発明は、録画した各シーンを編集するＶＴＲの編集装置に係るものであるから、本件発明のような“選択した所望の静止画を並べて表示させ、その表示順に従って上記静止画に対応する画像信号を送出手段により送出する”編集装置とは前提を異にする。
　甲第１号証記載の発明では、録画シーンの編集を行う上で、（イ）再生用ＶＴＲからの再生画像（動画像）を縮小した複数フレームの画像をモニタ上に表示し（第２図から明らかなように、複数フレーム期間内の各縮小画像を並べて表示し）、その中に編集点のフレーム画像が現れたとき、上記複数フレームの画像を複数の静止画として表示し、（ロ）上記複数の静止画の表示がなされる毎に上記編集点となる特定フレーム画像を順次選択してこれらを適宜並べ替えて表示し、その表示順によって録画シーンの編集順序を決めることが不可欠の要件となっているから、このような要件を全体としてみると、本件発明でいう上記編集装置とは明らかに別異のものである。
　そうすると、甲第１号証記載の発明に上記のような類似性があるにしても、これとは前提を異にする本件発明が甲第１号証記載の発明から容易に想到されたものであるとすることはできない。
（４）また、本件異議申立の甲第２号証には、ディスプレイ装置に関し、画面作成時に使用できる画素（文字シンボル）の種類を増加させることを目的として（第２頁の〔発明の概要〕の項）、画素選択モードにおいて、表示画面の画素表示エリア（８）（画面作成時の作成画面表示エリア）に多数の画素を表示し、その中から画面作成に必要な画素を選択して表示画面の画素選択エリア（３）に表示して登録しておき、画面作成モードにおいて、上記画素選択エリア（３）に表示されている画素の中から所望のものを選択して画面作成に使用できるようにした（第２頁の〔発明の実施例〕の項、及び第２，３図）発明が開示されており、この甲第２号証記載の発明は、本件発明と同様、表示手段の第１の表示領域（画素表示エリア（８））に表示されている複数の静止画（文字シンボル）から、所望の複数の静止画を選択して上記表示手段の第２の表示領域（画素選択エリア（３））に並べて表示させるものであるといえる。
　しかしながら、甲第２号証記載の発明では、画素選択エリア（３）には、画面作成時に適宜選択できるよう文字シンボルが並べて表示されるにすぎないのであるから、このような文字シンボルの表示は、本件発明における“選択した静止画の表示順にしたがって送出手段により上記静止画に対応する画像信号を送出する”という前記要点とはおよそ関係がないものである。
　したがって、本件発明が甲第２号証記載の発明から容易に想到されるとすることもできない。
（５）以上のように、本件発明は、甲第１，２号証記載の各発明から容易に想到されたとはいえないものであり、また、これら各発明が、上述したように、いずれも本件発明のような“選択した所望の静止画を並べて表示させ、その表示順に従って上記静止画に対応する画像信号を送出手段により送出する”編集装置を示唆するに足るものではないのであるから、これら各発明の組合せから本件発明が容易に想到されたものであるともいえない。
（６）なお、前記当審での取消理由通知では、訂正前の請求項１における「第２表示領域に送出順に並べて」との記載はその意味が不明瞭であるから、本件特許の明細書には記載不備があるとの取消理由を示したが、この記載不備は、訂正後の請求項１では解消している。
　また、他に本件発明が特許を受けることができないものであるとすべき理由は見出せない。
（７）したがって、本件発明が特許出願の際、独立して特許を受けることができないものであるとすることはできない。
４．まとめ
　以上のとおりであるから、本件で請求する訂正は、特許法第１２０条の４第２項、及び同条第３項で準用する同法第１２６条第２〜４項の規定に適合するものである。
ＩＩＩ異議申立についての判断
　本件異議申立の理由は、訂正前の請求項１に係る発明について、同発明は甲第１号証，甲第２号証に記載された発明に基づいて当業者が容易に発明をすることができたものであるから、同発明に係る特許は特許法第２９条第２項の規定に違反しているとするものであるところ、この申立理由は、訂正後の本件発明については、前記ＩＩ、３．で判断したとおり理由がないものである。
ＩＶ　むすび
　以上のとおり、本件において請求する訂正は適法なものであり、また訂正後の請求項１に係る本件発明の特許について、本件異議申立は理由がないものである。
　また、他に同特許を取り消すべき理由を発見しない。
　よって、結論のとおり決定する。
【異議決定日】
平成１１年７月１５日（１９９９．７．１５）
【訂正の要旨】
訂正の要旨
▲１▼　訂正事項ａ
　特許請求の範囲の請求項１に係る記載
「第１の表示領域と第２の表示領域を有し、入カビデオ信号から選択され記憶手段によって記憶された複数の静止画を上記第１の表示領域に表示する表示手段と、
　上記表示手段の上記第１の表示領域に表示されている上記複数の静止画から所望の複数の静止画を選択するための選択手段と、
　上記選択手段によって選択された上記所望の複数の静止画を上記表示手段の上記第２の表示領域に送出順並べて表示させる制御手段とを備えた
　ことを特徴とする編集装置。」を、特許請求の範囲の請求項１の減縮及び明りょうでない記載の釈明を目的として、
「第１の表示領域と第２の表示領域を有し、入カビデオ信号から選択され記憶手段によって記憶された複数の静止画を上記第１の表示領域に表示する表示手段と、
　上記表示手段の上記第１の表示領域に表示されている上記複数の静止画から所望の複数の静止画を選択するための選択手段と、
　
上記選択手段によって選択された上記所望の複数の静止画に対応する画像信号を送出する送出手段と、
　上記選択手段によって選択された上記所望の複数の静止画を上記表示手　段の上記弟２の表示領域
に並
、その表示順に従って上記画像信号を送出させ
　ことを特徴とする編集装置。」に訂正する。
▲２▼　訂正事項ｂ
　特許明細書（特許公報）第１頁第２欄７〜８行「選択し、・・・表示させる」とあるを、明りょうでない記載の釈明を目的として、
「選択し、この
選択された上記所望の複数の静止画に対応する画像信号を送出し、上記
に並
、その表示順に従って上記画像信号を送出させ
▲３▼　訂正事項ｃ
　特許明細書第２頁第３欄１５〜１７行「上記選択手段・・・表示させる」とあるを、明りょうでない記載の釈明を目的として、
「
上記選択手段によって選択された上記所望の複数の静止画に対応する画像信号を送出する送出手段と、
に並
、その表示順に従って上記画像信号を送出させ
▲４▼　訂正事項ｄ
　特許明細書第２頁第３欄２３〜２５行「選択し、・・・表示させる。」とあるを、明りょうでない記載の釈明を目的として、
「選択し、この
選択された上記所望の複数の静止画に対応する画像信号を送出し、上記
に並
、その表示順に従って上記画像信号を送出させ
▲５▼　訂正事項ｅ
　特許明細書第３頁第６欄４１〜４２行「送出順」とあるを、明りょうでない記載の釈明を目的として、
「
表示順
▲６▼　訂正事項ｆ
　特許明細書第４頁第８欄１１〜１３行「選択し、・・・表示させる」とあるを、明りょうでない記載の釈明を目的として、
「選択し、この
選択された上記所望の複数の静止画に対応する画像信号を送出し、上記
に並
、その表示順に従って上記画像信号を送出させ
（５４）【発明の名称】
編集装置
（５７）【特許請求の範囲】
【請求項１】　第１の表示領域と第２の表示領域を有し、入カビデオ信号から選択され記憶手段によって記憶された複数の静止画を上記第１の表示領域に表示する表示手段と、
　上記表示手段の上記第１の表示領域に表示されている上記複数の静止画から所望の複数の静止画を選択するための選択手段と、
　
上記選択手段によって選択された上記所望の複数の静止画に対応する画像信号を送出する送出手段と、
　上記選択手段によって選択された上記所望の複数の静止画を上記表示手段の上記第２の表示領域
に並
、その表示順に従って上記画像信号を送出させ
　ことを特徴とする編集装置。
【発明の詳細な説明】
〔産業上の利用分野〕
　本発明は編集装置に関し、特に、静止画を利用した編集装置に関する。
〔発明の概要〕
　本発明は編集装置に関し、入カビデオ信号から選択され記憶手段によって記憶された複数の静止画を表示手段の第１の表示領域に表示し、この第１の表示領域に表示されている上記複数の静止画から所望の複数の静止画を選択し、この
選択された上記所望の複数の静止画に対応する画像信号を送出し、上記
に並
、その表示順に従って上記画像信号を送出させ
〔従来の技術〕
　例えばテレビ放送局におけるテロップ等の送出をディジタルメモリを有する静止画ファイル装置で行うことが考えられている。
〔発明が解決しようとする課題〕
　しかしながら従来のこの種の装置では、静止画の編集や保存，送出等に多くの手順が必要とされ、作業に熟練を要するなど、使用者への負担が大きいものであった。
　この出願はこのような点に鑑み、簡単な手順で所望の作業を行うことのできるようにした装置を提供するものである。
〔課題を解決するための手段〕
　本発明の編集装置は、第１の表示領域▲１▼〜▲１２▼と第２の表示領域▲１３▼〜▲２４▼　を有し、入カビデオ信号から選択され記憶手段（静止画ファイル手段（１））によって記憶された複数の静止画を上記第１の表示領域に表示する表示手段（カラーディスプレイ（２０２））と、上記表示手段の上記第１の表示領域に表示されている上記複数の静止画から所望の複数の静止画を選択するための選択手段（マウス（２０４））と、
上記選択手段によって選択された上記所望の複数の静止画に対応する画像信号を送出する送出手段と、
に並
、その表示順に従って上記画像信号を送出させ
〔作用〕
　入カビデオ信号から選択され記憶手段によって記憶された複数の静止画を表示手段の第１の表示領域に表示し、この第１の表示領域に表示されている上記複数の静止画から所望の複数の静止画を選択し、この
選択された上記所望の複数の静止画に対応する画像信号を送出し、上記
に並
、その表示順に従って上記画像信号を送出させ
〔実施例〕
　第１図は装置の全体の構成を示す。この図において（１）は静止画ファイル手段であって、この手段（１）には任意のビデオ信号の入力部（１０１）と出力部（１０２）が設けられると共に、分離可能なメモリとしての例えば光磁気（ＭＯ）ディスクのドライブ部（１０３）が設けられている。
　この静止画ファイル手段（１）に対してワークステーション（２）のＣＰＵ（２０１）が接続されると共に、このワークステーション（２）からの例えばＲＧＢのビデオ信号が静止画ファイル手段（１）に供給され、この手段（１）からのビデオ信号がワークステーション（２）の高解像度のカラーディスプレイ（２０２）に供給される。またＣＰＵ（２０１）にはキーボード（２０３），マウス（２０４）が接続されると共に、いわゆる３．５′フロッピーディスクのドライブ部（２０５）が設けられ、さらにデータベースのバックアップを行うためのＭＯディスクのドライブ部（２０６）等が接続されている。
　また静止画ファイル手段（１）にはワークステーション（２）のＣＰＵ（２０１）の一部の機能を有するコントローラ（３）が接続されると共に、外部記憶用の例えばオートチェンジャ付のＭＯ、あるいはライトワンス（ＷＯ）ディスクのドライブ装置（４）が接続される。
　さらに静止画ファイル手段（１）のビデオ信号データがネットワーク（５）を構成するためのマトリクススイッチ（５０１）に供給されると共に、ワークステーション（２）のＣＰＵ（２０１）の出力がネットワーク（５）用のライン（５０２）に供給される。
　そしてさらに静止画ファイル手段（１）は第２図に示すように構成される。図において（１１）はビデオバスであって、このビデオバス（１１）は例えばＤ−１規格のコンポーネントディジタルビデオのデータがリアルタイムで転送可能とされる。また（１２）は第１の制御バスで、このバス（１２）にばビデオ信号に付加されるリアルタイムの制御データ等が転送される。さらに（１３）は第２の制御バスで、このバス（１３）には通常の装置の制御データ等が転送される。
　この内のビデオバス（１１）に対して、それぞれが静止画ビデオ信号の入出力を行う複数の入出力回路（１４ａ）（１４ｂ）・・・・（１４ｆ）が接続されると共に、ネットワーク（５）のマトリクススイッチ（５０１）とのインターフェース回路（１５）、さらにワークステーション（２）とのビデオ信号のインターフェース回路（１６）が接続される。
　また（１７）は静止画ファイル手段（１）の内部を制御するＣＰＵであって、このＣＰＵ（１７）にはワークステーション（２）のＣＰＵ（２０１）からのデータライン及びコントローラ（３）からのデータラインが接続される。そしてこのＣＰＵ（１７）のデータラインが制御バス（１２）に接続されると共に、ＣＰＵ（１７）からの制御データが制御バス（１３）に供給される。
　さらに（１８）はデータバスの接続回路であって、この接続回路（１８）に例えばＳＣＳＩバス（１９）が接続され、このバス（１９）に上述のドライブ装置（１０３）が接続されると共に、内蔵メモリとしてのハードディスクドライブ装置あるいはＲＡＭ等のメモリ装置（１Ａ）が接続される。なおこのＳＣＳＩバス（１９）にはさらに外部のドライブ装置（４）等も接続される。そしてこの接続回路（１８）は制御バス（１２）及び（１３）にて制御され、この接続回路（１８）を通じてＳＣＳＩバス（１９）とビデオバス（１１）とが接続される。
　また制御バス（１２）がバスインターフェース回路（１Ｂ）に接続される。このインターフェース回路（１Ｂ）に基準信号源（１Ｃ）からの同期信号が供給されることによって、例えば垂直ブランキング期間内の所定の１水平期間にビデオバス（１１）と制御バス（１２）とが接続される。
　なお（１Ｄ）は拡張用の接続回路である。
　この静止画ファイル手段（１）及び全体の装置において、まず静止画の取込時には以下のようにされる。
　すなわち入出力回路（１４ａ）〜（１４ｆ）のいずれかに供給されるビデオ信号が所定のＡ／Ｄ変換されてビデオバス（１１）に供給され、このビデオバス（１１）の信号がインターフェース回路（１６）を通じて高解像度のカラーディスプレイ（２０２）に表示される。この状態で所望の画像の時にマウス（２０４）等によって所定の指示を行うと、この表示がＣＰＵ（２０１）を通じて静止画ファイル手段（１）のＣＰＵ（１７）に供給される。そしてこのＣＰＵ（１７）にて、入出力回路（１４ａ）〜（１４ｆ）のビデオバス（１１）への信号の供給を停止する制御データが形成され、次いでインターフェース回路（１６）内の信号をビデオバス（１１）に読出しこの信号を接続回路（１８）を通じてメモリ装置（１Ａ）に書込むための制御データが形成される。なおこれらの制御データは、ＣＰＵ（１７）から接続回路（１８）へは制御バス（１３）を通じて供給されると共に、入出力回路（１４ａ）〜（１４ｆ）及びインターフェース回路（１５）（１６）に対しては制御バス（１２）へ出力された制御データをバスインターフェース回路（１Ｂ）を介してビデオバス（１１）に供給し、ビデオ信号に重畳して各回路への供給が行われる。この場合に各入出力回路（１４ａ）〜（１４ｆ）及びインターフェース回路（１５）（１６）にはそれぞ垂直ブランキング期間内の所定の水平期間が割当てられ、バスインターフェース回路（１Ｂ）にて基準信号（１Ｃ）からの同期信号によってそれぞれ特定の水平期間のタイミングで制御データを出力することにより、各回路への制御データの供給が行われる。
　このようにして静止画の取込が行われる。なお取込後は入出力回路（１４ａ）〜（１４ｆ）の停止を解除してビデオ信号をカラーディスプレイ（２０２）に表示するか、メモリ装置（１Ａ）に書込まれた静止画を表示するようにしてもよい。
　さらにこの場合に取込まれる静止画は、１フレームの全画素によるフル（Ｆｕｌｌ）画と一緒に、画素を所定の割合で抽出したインデックス（Ｉｎｄｅｘ）画が形成され、これらの静止画と共に検索のための任意の分類コードなどを含むディスクリプタが付加されて形成される。そしてこれらの２静止画及びディスクリプタが所定のフォーマットでメモリ装置（１Ａ）に書込まれる。なおフォーマットとしてはディスクリプタ、フル画及びインデックス画はそれぞれ独立の領域に書込まれると共に、ディスクリプタ内に対応するフル画及びインデックス画のアドレスが設けられるようになっている。また上述のインデックス画の形成はビデオバス（１１）に任意のハードウエアを接続して行うか、ＣＰＵ（１７）及び接続回路（１８）でソフトウェアによって処理してもよい。またメモリ装置（１Ａ）に取込まれた静止画はＭＯディスクのドライブ装置（１０３）等に転送して保存することができ、このＭＯディスクは取出して他の同様の装置で用いることもできる。
　そしてこのようにして取込まれた静止画に対して、その編集が以下のようにして行われる。
　すなわち第３図は機能ブロック図であって、例えば上述のようにして複数の静止画の書込まれたＭＯディスクがドライブ装置（１０３）に供給されると、まずディスク上のディスクリプタから検索に用いる分類コードなどによるデータベースがワークステーション（２）で形成［２１］される。このデータベースによる画像がカラーディスプレイ（２０２）に表示され、これに対してキーボード（２０３）あるいはマウス（２０４）にて検索［２２］が行われ、検索された分類コード等によって静止画ファイル手段（１）にてトランス装置（１０３）から対応する静止画のディスクリプタが読出［１１］される。このディスクリプタが解析［１２］され、インデックス画及びフル画のアドレスがストア［１３］されると共に、解析されたアドレスに従ってドライブ装置（１０３）からインデックス画がメモリ装置（１Ａ）に転送される。このメモリ装置（１Ａ）に転送されたインデックス画がさらにインターフェース回路（１６）に転送される。
　ここでインターフェース回路（１６）には、例えばカラーディスプレイ（２０２）の全画素に相当する画像メモリ（１６Ｍ）が設けられており、ＣＰＵ（２０１）から供給される信号によって例えば第４図に示すような背景画が形成されている。そしてこの背景画の内の上半分で斜線を附した各範囲▲１▼〜▲１２▼ごとに、アドレス制御［１４］によって上述の各インデックス画が順次書込まれて表示が行われる。なお検索された全インデックス画を一旦メモリ装置（１Ａ）に書込むことにより、例えばインデックス画が１３枚以上あるときに表示の別ページへのアクセスなどを高速で行うことができる。
　一方背景画の下半分にも斜線を附したように範囲▲１３▼〜▲２４▼が設けられている。そして上述の範囲▲１▼〜▲１２▼にそれぞれインデックス画が表示された状態でマウス（２０４）等にて任意のカーソル（図示せず）を所望の静止画の範囲内に移動しそこで任意のキー操作等を行うことによって、ワークステーション（２）にてその範囲に対応する静止画が判別［２３］され、その判別に従って上述のストア［１３］されたアドレスの中から所望の静止画のフル画及びインデックス画のアドレスが取出され、これによってドライブ装置（１０３）から読出［１６］されたフル画及びインデックス画がメモリ装置（１Ａ）に書込まれると共にインデックス画が範囲▲１３▼に対応するメモリ（１６Ｍ）のアドレスに書込まれて表示される。
　以下にこの操作が繰り返されることによって、範囲▲１３▼〜▲２４▼に順次所望の静止画のインデックス画が表示され、インデックス画及びフル画がその順番でメモリ装置（１Ａ）に書込まれる。
　このようにして編集が行われ、これによって所望の表示順に並べられた静止画のパケットがメモリ装置（１Ａ）に完成される。またこのパケットはドライブ装置（１０３）に転送してＭＯディスクに保存することもできる。
　さらに上述のようにして編集された静止画のパケットを送出する場合には以下のようにされる。
すなわち上述の装置において、例えば入出力回路（１４ａ）が送出用とされると共に、入出力回路（１４ｂ）にはモニタ受像機（図示せず）が接続される。さらに上述の編集された静止画のパケットがメモリ装置（１Ａ）に記憶された状態で送出が行われる。そしてまずワークステーション（２）から送出の指示が出されるとパケットの最初の静止画が入出力回路（１４ａ）に転送されて送出が行われると共に、２番目の静止画が入出力回路（１４ｂ）に転送されてモニタ受像機に表示される。次にこの状態で再度ワークステーション（２）から送出の指示が出されるとパケットの２番目の静止画が入出力回路（１４ａ）に転送されて送出が行われると共に、３番目の静止画が入出力回路（１４ｂ）に転送されてモニタ受像機に表示される。
　このようにして編集されたパケットの静止画が順番に送出される。なおこの場合にモニタ受像機には次に送出される静止画が表示されており、この表示を見て次の静止画が不要のときはワークステーション（２）からの指示によって次の静止画の削除等の処理を行うこともできる。
　こうして上述の装置によれば、分割された表示面の一つに編集前の静止画が表示され、他に編集後の静止画が表示されることによって静止画の編集等を極めて円滑に行うことができるものである。
　なお上述の装置において、範囲▲１▼〜▲１２▼で任意の静止画が選択されたときは、その範囲のインデックス画を削除し以下の各範囲のインデックス画を順次繰り上げて表示すると共に、次のページの最初のインデックス画を範囲▲１２▼に表示するようにしてもよい。
　また表示画の分割は上述のような上下２分割に限らず、左右の２分割とすることもできる。
　さらに上述の装置において、静止画にはフル画及びインデックス画と共に、いわゆるキー合成を行うためのキー画（１画素１ビット）を設けてもよい。
〔発明の効果〕
　本発明によれば、入カビデオ信号から選択され記憶手段によって記憶された複数の静止画を表示手段の第１の表示領域に表示し、この第１の表示領域に表示されている上記複数の静止画から所望の複数の静止画を選択し、この
選択された上記所望の複数の静止画に対応する画像信号を送出し、上記
に並
、その表示順に従って上記画像信号を送出させ
【図面の簡単な説明】
　第１図は本発明の全体の構成図、第２図は静止画ファイル手段の構成図、第３図は機能ブロック図、第４図はその説明のための図である。
　（１）は静止画ファイル手段、（２）はワークステーション、（３）はコントローラ、（１１）（１２）（１３）はバス、（１４ａ）〜（１４ｆ）は入出力回路、（１７）（３２）（２０１）はＣＰＵ、（５０１）はスイッチ、（５０２）はネットワーク用のラインである。